(57)【要約】  【課題】空間性を持つコンテンツを簡便且つ直感的に閲覧できるようにする装置及びプログラムを提供する。  【解決手段】両面表示型情報処理装置１を、表裏対のディスプレイ３Ａ，３Ｂと、コンテンツデータ格納部１１、コンテンツ上の空間的な位置及び表示を制御する制御部１２、この制御部１２に制御されてコンテンツの表示を実行する描画部１３を有するコンピュータ本体２と、モーションセンサ４とを一体的に備えた構成として、モーションセンサ４から姿勢データを取得するセンサ監視部１４と、姿勢データを解析しコンピュータ本体２の回転方向を判断する回転方向判断部１５をさらに設け、制御部１２に、描画部１３を介して回転前に一方のディスプレイ３Ａに表示されているコンテンツに連続する当該回転方向に対応した空間上の位置に基づくコンテンツを他方のディスプレイ３Ｂに表示させる機能を設けた。  【選択図】図２
2007114584.tif 000002
【特許請求の範囲】
【請求項１】
表裏対にして設けられる２つのディスプレイと、空間的な広がりを有するデジタルコンテンツのデータを格納するコンテンツデータ格納部、これらディスプレイに対するデジタルコンテンツ上の空間的な位置及び表示を制御する制御部、当該制御部に制御されて各ディスプレイに対するデジタルコンテンツの表示を実行する描画部を有するコンピュータ本体と、前記コンピュータ本体の姿勢を検知し出力するモーションセンサとを、一体的に備えてなる両面表示型情報処理装置であって、
前記モーションセンサが検知して出力したコンピュータ本体の姿勢データを取得するセンサ監視部と、前記姿勢データを解析しコンピュータ本体の回転方向を判断する回転方向判断部とをさらに備え、
前記制御部が、前記回転方向判断部で判断された回転方向に基づき、前記描画部を介してコンピュータ本体の回転前に一方のディスプレイに表示されているデジタルコンテンツに連続する当該回転方向に対応したコンテンツデータの空間上の位置を決定し、その位置データに基づくデジタルコンテンツを描画部を介して他方のディスプレイに表示させる機能を有していることを特徴とする両面表示型情報処理装置。
【請求項２】
前記モーションセンサが、ディスプレイの左右方向に対応するコンピュータ本体の左右方向の姿勢を少なくとも検知するものである請求項１に記載の両面表示型情報処理装置。
【請求項３】
前記モーションセンサが、ディスプレイの上下方向に対応するコンピュータ本体の上下方向の姿勢を少なくとも検知するものである請求項１又は２に記載の両面表示型情報処理装置。
【請求項４】
前記モーションセンサが、姿勢データとして３次元地磁気データを出力するものである請求項１乃至３のいずれかに記載の両面表示型情報処理装置。
【請求項５】
前記回転方向判断部が、所定時間区間内における姿勢データの変化量が一定の閾値を超えた場合に、前記コンピュータ本体が回転したと判断し、その判断結果及び回転方向に関する情報を前記制御部に出力するものである請求項１乃至４の何れかに記載の両面表示型情報処理装置。
【請求項６】
表裏対にして設けられる２つのディスプレイと、空間的な広がりを有するデジタルコンテンツのデータを格納するコンテンツデータ格納部、これらディスプレイに対するデジタルコンテンツ上の空間的な位置及び表示を制御する制御部、当該制御部に制御されて各ディスプレイに対するデジタルコンテンツの表示を実行する描画部を有するコンピュータ本体と、前記コンピュータ本体の姿勢を検知し出力するモーションセンサとを一体的に備え、前記モーションセンサから出力されるコンピュータ本体の姿勢データを取得するセンサ監視部と、前記姿勢データに基づいてコンピュータ本体の回転方向を判断する回転判断取得部とをさらに備えてなるコンピュータを、両面表示型情報処理装置として機能させるプログラムであって、
前記センサ監視部に、前記モーションセンサが検知して出力したコンピュータ本体の姿勢データを取得するセンサ監視ステップを実行させるとともに、
前記回転方向判断部に、前記姿勢データを解析してコンピュータ本体の回転の有無を判断し、回転が有ると判断した場合にさらにその回転方向を判断する回転方向判断ステップを実行させ、
さらに前記制御部に、前記回転方向判断ステップで取得された回転方向に基づき、前記描画部を介してコンピュータ本体の回転前に一方のディスプレイに表示されているデジタルコンテンツに連続する当該回転方向に対応したコンテンツデータの空間上の位置を決定する位置決定ステップと、この位置決定ステップで決定された位置データに基づくデジタルコンテンツを描画部を介して他方のディスプレイに表示させる表示ステップを実行させることを特徴とする両面表示プログラム。
【請求項７】
前記両面表示型情報処理装置におけるモーションセンサが、ディスプレイの左右方向に対応するコンピュータ本体の左右方向の姿勢を少なくとも検知するものであって、
前記回転方向判断ステップにおいて回転方向判断部に、前記姿勢データを解析してコンピュータ本体の回転の有無を判断し、回転が有ると判断した場合にさらにその回転方向が左右であると判断する処理を実行させ、
前記位置決定ステップにおいて制御部に、前記描画部を介してコンピュータ本体の回転前に一方のディスプレイに表示されているデジタルコンテンツと左右何れかに連続する当該回転方向に対応したコンテンツデータの左右方向の位置を決定する処理を実行させる請求項６に記載の両面表示プログラム。
【請求項８】
前記両面表示型情報処理装置におけるモーションセンサが、ディスプレイの上下方向に対応するコンピュータ本体の上下方向の姿勢を少なくとも検知するものであって、
前記回転方向判断ステップにおいて回転方向判断部に、前記姿勢データを解析してコンピュータ本体の回転の有無を判断し、回転が有ると判断した場合にさらにその回転方向が上下であると判断する処理を実行させ、
前記位置決定ステップにおいて制御部に、前記描画部を介してコンピュータ本体の回転前に一方のディスプレイに表示されているデジタルコンテンツと上下何れかに連続する当該回転方向に対応したコンテンツデータの上下方向の位置を決定する処理を実行させる請求項６又は７に記載の両面表示プログラム。
【請求項９】
前記両面表示型情報処理装置におけるモーションセンサが、姿勢データとして３次元地磁気データを出力するものであって、
前記回転方向判断ステップにおいて回転方向判断部に、前記姿勢データを解析してコンピュータ本体の回転の有無を判断し、回転が有ると判断した場合にさらにその回転方向が３次元座標軸の何れか１つの方向であると判断する処理を実行させ、
前記位置決定ステップにおいて制御部に、前記描画部を介してコンピュータ本体の回転前に一方のディスプレイに表示されているデジタルコンテンツと３次元座標軸方向の何れかに連続する当該回転方向に対応したコンテンツデータの空間位置を決定する処理を実行させる請求項６乃至８のいずれかに記載の両面表示プログラム。
【請求項１０】
前記回転方向判断部ステップにおいて前記回転方向判断部に、所定時間区間内における姿勢データの変化量が一定の閾値を超えた場合に、前記コンピュータ本体が回転したと判断し、その判断結果及び回転方向に関する情報を前記制御部に出力する処理を実行させる請求項６乃至９の何れかに記載の両面表示プログラム。
【発明の詳細な説明】
【技術分野】
【０００１】
本発明は、両面にディスプレイを備えた両面表示型情報処理装置と、当該装置の両面ディスプレイに対する両面表示プログラムに関するものである。
【背景技術】
【０００２】
例えば地図等の空間的な広がりを持つデジタルコンテンツを二次元のディスプレイで閲覧するための技術としては、従来より、マウスやボタンやジョグダイヤル等の入力デバイスの操作によるもの、小型ディスプレイを備えた携帯情報端末の傾き操作によるものなど、種々の技術が考えられている（例えば、非特許文献１参照）。これらの技術は、マウスその他の入力デバイスに対する操作や、携帯情報端末自体を傾ける操作に応じて、当該ディスプレイの画面上でコンテンツの表示を変化させようとするものである。
【非特許文献１】Ｊｕｎ  Ｒｅｋｉｍｏｔｏ，「Ｔｉｌｔｉｎｇ  Ｏｐｅｒａｔｉｏｎｓ  ｆｏｒ  Ｓｍａｌｌ  Ｓｃｒｅｅｎ  Ｉｎｔｅｒｆａｃｅ」，Ｐｒｏｃｅｅｄｉｎｇｓ  ｏｆ  ｔｈｅ  Ｕｓｅｒ  Ｉｎｔｅｒｆａｃｅ  Ｓｏｆｔｗａｒｅ  ａｎｄ  Ｔｅｃｈｎｏｌｏｇｙ  （ＵＩＳＴ’９６）  ｐｐ．１６７−１６８，１９９６
【発明の開示】
【発明が解決しようとする課題】
【０００３】
ところが、マウス等の入力デバイスへの操作によるディスプレイの表示画面変更では、このような入力デバイスの使用が必須であり、外出時には使用に適さず、また操作を行う際に手元を確認する必要がある上にディスプレイと入力デバイスとが離れているために操作が直感的ではない。一方、携帯情報端末自体の傾き操作によるディスプレイの表示画面変更では、操作時の手元確認は必要ないが、傾き角度等などの微妙な操作が要求されるため、手軽に且つ直感的に操作してコンテンツの表示を変化させることは難しい。
【０００４】
そこで本発明は、このような問題を解決し、空間性を持つデジタルデータを簡便且つ直感的に閲覧できるようにする技術を新たに提供しようとするものである。
【課題を解決するための手段】
【０００５】
すなわち本発明に係る両面表示型情報処理装置は、表裏対にして設けられる２つのディスプレイと、空間的な広がりを有するデジタルコンテンツのデータを格納するコンテンツデータ格納部、これらディスプレイに対するデジタルコンテンツ上の空間的な位置及び表示を制御する制御部、当該制御部に制御されて各ディスプレイに対するデジタルコンテンツの表示を実行する描画部を有するコンピュータ本体と、コンピュータ本体の姿勢を検知し出力するモーションセンサとを、一体的に備えてなるものであって、モーションセンサが検知して出力したコンピュータ本体の姿勢データを取得するセンサ監視部と、その姿勢データを解析しコンピュータ本体の回転方向を判断する回転方向判断部とをさらに備え、制御部が、回転方向判断部で取得された回転方向に基づき、描画部を介してコンピュータ本体の回転前に一方のディスプレイに表示されているデジタルコンテンツに連続する当該回転方向に対応したコンテンツデータの空間上の位置を決定し、その位置データに基づくデジタルコンテンツを描画部を介して他方のディスプレイに表示させる機能を有していることを特徴としている。
【０００６】
また、本発明に斯かる両面表示プログラムは、表裏対にして設けられる２つのディスプレイと、空間的な広がりを有するデジタルコンテンツのデータを格納するコンテンツデータ格納部、これらディスプレイに対するデジタルコンテンツ上の空間的な位置及び表示を制御する制御部、この制御部に制御されて各ディスプレイに対するデジタルコンテンツの表示を実行する描画部を有するコンピュータ本体と、コンピュータ本体の姿勢を検知し出力するモーションセンサとを一体的に備え、モーションセンサから出力されるコンピュータ本体の姿勢データを取得するセンサ監視部と、その姿勢データに基づいてコンピュータ本体の回転方向を判断する回転方向判断部とをさらに備えてなるコンピュータを、両面表示型情報処理装置として機能させるプログラムであって、センサ監視部に、モーションセンサが検知して出力したコンピュータ本体の姿勢データを取得するセンサ監視ステップを実行させるとともに、回転方向判断部に、姿勢データを解析してコンピュータ本体の回転の有無を判断し、コンピュータ本体が回転したと判断した場合にその回転方向を判断する回転方向判断ステップを実行させ、さらに制御部に、回転方向判断ステップで取得された回転方向に基づき、描画部を介してコンピュータ本体の回転前に一方のディスプレイに表示されているデジタルコンテンツに連続する当該回転方向に対応したコンテンツデータの空間上の位置を決定する位置決定ステップと、この位置決定ステップで決定された位置データに基づくデジタルコンテンツを描画部を介して他方のディスプレイに表示させる表示ステップを実行させることを特徴とするものである。
【０００７】
本発明において「空間的な広がりを有するデジタルコンテンツ」とは、ディスプレイの平面的な一画面では表示しきれないようなコンテンツを意味し、斯かるコンテンツには例えば、観念的に上下左右の広がりを持つコンテンツである地図や図表等、複数ページに跨ったコンテンツを有する書籍や文書（いわゆるデジタルブックやインタラクティブブック）等、立体物を表現した３次元画像等が例示される。モーションセンサとは、それが装備された物体の物理的な動作、具体的には姿勢や動きを検知するデバイスであり、本発明ではコンピュータ本体の空間内での姿勢を検知して出力するものである。
【０００８】
上述したような本発明の両面表示型情報処理装置並びに両面表示プログラムであれば、コンピュータ本体の両面にディスプレイを備えたコンピュータ自体を何れかの方向に回転させるという極めて簡単な操作を行うことで、モーションセンサを通じてその回転を検知して一方のディスプレイに表示されていたコンテンツの回転方向に連続するコンテンツを他方のディスプレイに表示させることができる。すなわち、マウス等の入力デバイスを用いることなく、また傾き操作のような微妙な操作が要求されることなく、手軽に且つ直感的に空間的な広がりのあるコンテンツを２つのディスプレイを順次切り替えながら操作・閲覧することができるようになる。
【０００９】
本発明に係る両面表示型情報処理装置においては、モーションセンサとして、ディスプレイの左右方向に対応するコンピュータ本体の左右方向の姿勢を少なくとも検知するものを採用することができる。この場合、コンテンツとしては、主に左右方向に広がりを有するもの、例えば実物では左右方向にページ捲り動作を行う書籍等に対応するデジタルブック等を適用するとよい。
【００１０】
この場合、本発明の両面表示プログラムは、回転方向判断ステップにおいて回転方向判断部に姿勢データを解析してコンピュータ本体の回転の有無を判断し、回転が有ると判断した場合にさらにその回転方向が左右であると判断する処理を実行させ、位置決定ステップにおいて制御部に、描画部を介してコンピュータ本体の回転前に一方のディスプレイに表示されているデジタルコンテンツと左右何れかに連続する当該回転方向に対応したコンテンツデータの左右方向の位置を決定する処理を実行させるように構成するとよい。
【００１１】
その他、モーションセンサには、ディスプレイの上下方向に対応するコンピュータ本体の上下方向の姿勢を少なくとも検知するものを採用することもできる。特に、ディスプレイの上下左右の４方向に対応するコンピュータ本体の上下左右方向の姿勢を検知できるモーションセンサを利用すれば、平面的な広がりを有する地図等をコンテンツとして採用するのに適している。
この場合、本発明の両面表示プログラムは、回転方向判断ステップにおいて回転方向判断部に、姿勢データを解析してコンピュータ本体の回転の有無を判断し、回転が有ると判断した場合にさらにその回転方向が上下であると判断する処理を実行させ、位置決定ステップにおいて制御部に、前記描画部を介してコンピュータ本体の回転前に一方のディスプレイに表示されているデジタルコンテンツと上下何れかに連続する当該回転方向に対応したコンテンツデータの上下方向の位置を決定する処理を実行させるものとすることが好ましい。
【００１２】
さらにその他、モーションセンサに、姿勢データとして３次元地磁気データを出力するものを採用すれば、上述した１次元的又は２次元的な広がりを有するコンテンツはもちろんのこと、３次元的な広がりを持つ立体デジタルモデルをコンテンツとして利用することができる。特に地磁気を利用することで、安定してデータ取得を行うことが可能であり、東西南北の方位を特定できるというような利点がある。なお、モーションセンサには、地磁気のみならず、加速度、ジャイロ等のデータを利用するものや、地磁気と加速度、地磁気と加速度とジャイロのように複数種類のデータを組み合わせて利用するもの、さらにこれらに３次元ポジションのデータを利用するものなどを、用途に合わせて適宜採用することが可能である。
【００１３】
この場合、本発明の両面表示プログラムは、回転方向判断ステップにおいて回転方向判断部に、姿勢データを解析してコンピュータ本体の回転の有無を判断し、回転が有ると判断した場合にさらにその回転方向が３次元座標軸の何れか１つの方向であると判断する処理を実行させ、位置決定ステップにおいて制御部に、前記描画部を介してコンピュータ本体の回転前に一方のディスプレイに表示されているデジタルコンテンツと３次元座標軸方向の何れかに連続する当該回転方向に対応したコンテンツデータの空間位置を決定する処理を実行させるようなものとすることが望ましい。
【００１４】
また、回転方向判断部は、所定時間区間内における姿勢データの変化量（最大変化量の場合も含む）が一定の閾値を超えた場合に、前記コンピュータ本体が回転したと判断し、その判断結果及び回転方向に関する情報を前記制御部に出力するものとすることで、ユーザが本発明の両面表示型情報処理装置を持つ際の手ブレ程度の姿勢変化では両ディスプレイ間の表示切り替えは生じず、ユーザが意図的に本装置を回転させた場合にのみ両ディスプレイ間の表示切り替えを行い、直感的な操作をユーザに提供することが適切に行えるようになる。
【発明の効果】
【００１５】
本発明によれば、両面ディスプレイを有するコンピュータ自体を回転させることで、コンテンツを表示するディスプレイを順次交代させながら、そのコンテンツを空間的に広げるように操作・閲覧することが可能となる。しかも本発明は、空間的な広がりのあるコンテンツを操作・閲覧するに際し、マウス等の入力デバイスを不要としたり、傾き操作のような微妙な角度調整を不要とするものであるので、コンテンツの操作・閲覧を極めて直感的に行うことができる。以上により本発明は、コンピュータディスプレイ上での地図、デジタルブック、インタラクティブブック等の操作・閲覧に特に好適に利用することができ、デスクトップコンピューティング環境、モバイルコンピューティング環境、ウェアラブルコンピューティング環境等の多様な環境におけるデジタルデータ操作・閲覧デバイス並びにプログラムとして活用することができるものである。
【発明を実施するための最良の形態】
【００１６】
以下、本発明の一実施形態を、図面を参照して説明する。
【００１７】
図１（ａ）に斜視図、（ｂ）に模式的な側面図を示すこの実施形態は、本発明の両面表示プログラム（以下、「本プログラム」と呼ぶ場合がある）に従って作動する両面表示型情報処理装置１（以下、「本装置１」と呼ぶ場合がある）である。本実施形態の両面表示型情報処理装置１は、板状のコンピュータ本体２の表裏両面にそれぞれディスプレイ３Ａ，３Ｂを設けた構成を有している。以下の説明では、２つのディスプレイを区別する場合には、符号３Ａを第１ディスプレイ、符号３Ｂを第２ディスプレイと呼ぶこととする。また、この両面表示型情報処理装置１には、コンピュータ本体２に内蔵若しくは接続したモーションセンサ４（図中（ｂ）に■で示す）が搭載されている。
【００１８】
コンピュータ本体２自体の機器構成は、例えば図２に概略を示すように、通常のモバイルコンピュータ（例えばタブレットＰＣ）と同様であるので詳述しないが、通常、中央演算装置（ＣＰＵ）等のプロセッサ、メインメモリ（ＲＡＭ）、ハードディスクドライブ（ＨＤＤ）やフラッシュメモリ等の外部補助記憶デバイス等、外部機器とのデータ授受を行うための通信デバイス、ディスプレイ３Ａ、３Ｂに対する表示制御デバイスとしてグラフィックチップ、ディスプレイ３Ａ、３Ｂの表示内容を記憶するビデオメモリ（ＶＲＡＭ）等を通信線（バス線等）で接続した態様で備えており、これらがシステムコントローラやＩ／Ｏコントローラ等に制御されて連携して動作する。本実施形態では、両面表示型情報処理装置１としてタブレットＰＣタイプのものを想定しているので、ディスプレイ３Ａ，３Ｂにペンタッチパネル機能を装備させ、ユーザによるコンピュータ本体１への情報入力はディスプレイ３Ａ、３Ｂへのペンタイプの入力デバイスにより行うものとするが、他の入力デバイスとして、コンピュータ本体にキーボードやマウス等のポインティングデバイス等を接続してもよい。そして、通常は外部補助記憶デバイスにオペレーションソフトウェア（ＯＳ）に加えて本実施形態に係る両面表示プログラムがインストールされており、以上のような装置を両面表示型情報処理装置１として機能させる場合には、適宜ＲＡＭに読み出した本プログラムに基づくＣＰＵの処理により各部を動作させる。この処理工程で生成されるデータや外部から入力又は取得されたデータは、一時的にＲＡＭ等に蓄えられて以降の処理に利用される。
【００１９】
また、モーションセンサ４には、３次元地磁気を検知し、それに基づき姿勢データとして３次元地磁気データを出力するものを採用している。このようなモーションセンサ４を装備することにより、コンピュータ本体２を含む本装置１の姿勢が取得される。具体的には、３次元地磁気データによって本装置１の前後方向への回転、若しくは左右方向への回転が判別されるようにしているが、詳しくは後述する。
【００２０】
さて、本装置１は、本プログラムに従って作動することで、図２に概略的な機能構成図を示すように、コンテンツデータ格納部１１、制御部１２、描画部１３、センサ監視部１４、回転方向判断部１５としての機能を発揮することになる。ここではまず、各部の機能について概説する。
【００２１】
コンテンツデータ格納部１１は、本実施形態で用いるデジタルコンテンツのデータを格納するものであり、通常は、外部補助記憶デバイスがその機能を有しているが、例えばコンテンツをインターネット等の本装置１外から一時的に取得してきて利用する場合には、ＲＡＭにその機能を担わせることもできる。本実施形態では、空間的な広がりを有するコンテンツとして、特に地図を採用している。すなわち、この実施形態においてコンテンツデータ格納部１１には、ある地域の地図データを格納している。
【００２２】
制御部１２は、基本的にはコンテンツデータ格納部１１から取得したデータに基づくコンテンツの描画命令を描画部１３に出して、ディスプレイ３Ａ，３Ｂにそのコンテンツを表示させるものである。描画命令には、ディスプレイ３Ａ，３Ｂに表示させるべきコンテンツの空間的な位置や具体的な表示態様に関する情報が含まれる。一方、描画部１３は、制御部１２からの描画命令を実行して、ディスプレイ３Ａ，３Ｂにコンテンツを表示させる。この描画部１３は、両ディスプレイ３Ａ，３Ｂに対して１つのみ設けてもよいし、各ディスプレイ３Ａ，３Ｂそれぞれに対応して設けてもよい。本実施形態では、第１ディスプレイ３Ａにコンテンツを表示させるものを第１描画部１３Ａ、第２ディスプレイ３Ｂにコンテンツを表示させるものを第２描画部１３Ｂとし、これら第１描画部１３Ａと第２描画部１３Ｂを総称する場合に描画部１３と呼ぶものとする。なお、制御部１２及び描画部１３のさらに詳細な機能については後述する。
【００２３】
センサ監視部１４は、モーションセンサ４が出力した３次元地磁気データを取得するものである。回転方向判断部１５は、センサ監視部１４がモーションセンサ４から取得した３次元地磁気データを解析して、コンピュータ本体２を含む本装置１の回転の有無を判断するとともに、回転が有ると判断した場合はさらにその回転方向を判断し決定する。具体的には、モーションセンサ４は作動している限り、３次元地磁気データを鉛直方向、水平方向（縦；本装置１の上下方向）、水平方向（横；本装置１の左右方向）の動きに分解して常時出力しており、それら３方向のデータをセンサ監視部１４がモニタリングする。その３方向のデータについて回転方向判断部１５が随時一定の時間区間で計算して、１方向でもデータの変化量が一定値を超えた場合は「回転があった」と判断して、その回転があった方向を制御部１２に対してデータ出力する。
【００２４】
このように、回転方向判断部１５から回転方向のデータ出力があった場合、それが入力された制御部１２は、それまでコンテンツを表示させていたディスプレイ３Ａ又は３Ｂとは反対側のディスプレイ３Ｂ又は３Ａに、そのコンテンツにおいて回転方向と対応する方向に連続する空間上の位置に応じたコンテンツを表示させるように描画部１３に描画命令を出す。その結果、ユーザが実際に本装置１を回転させてそれまでとは反対側のディスプレイを閲覧しようとした場合、その回転させた方向に移動した態様のコンテンツが当該反対側のディスプレイに表示されることとなる。
【００２５】
以下、本実施形態における情報処理の流れと使用例を、図３に示すフローチャート、図４に示す本装置１の使用方法説明図、図５に示す３次元地磁気データの出力・モニタリング例、図６に示す回転方向の解析模式図、図７に示す画面例を参照して説明する。
【００２６】
まず、本実施形態の両面表示型情報処理装置１は電源が投入されたうえで、両面表示プログラムが起動されているものとする（図３；Ｓｔａｒｔ）。ユーザが一方のディスプレイ（ここでは説明の明確化のために例として第１ディスプレイ３Ａとする）を自分の方に一定時間向けておくか、或いは予め初期の画面表示は第１ディスプレイ３Ａで実行すると定められているか、何れか一方のディスプレイを初期の画面表示用として選択するボタンが押されるなどして、初期の表示ディスプレイがまず選択され（同；Ｓ０１）、ユーザによるコンテンツ（ここではある地域の地図）選択操作を受け付ける（同；Ｓ０２）と、制御部１２はコンテンツデータ格納部１１に該当するコンテンツのデータを要求し取得して、例えばキャッシュメモリ等のローカルデータベース（ローカルＤＢ）に一時的に格納する（同；Ｓ０３）。次に、ユーザによるコンテンツの表示位置（地図上の位置）選択操作を受け付ける（同；Ｓ０４）と、制御部１２はその表示位置を指定したコンテンツのデータをローカルＤＢから取得して（同；Ｓ０５）、それに基づく描画命令を第１描画部１３Ａに送って実行させることで、図７（０）部に示すように第１ディスプレイ３Ａに上記コンテンツ（地図）の指定された位置に該当する部分が描画され、且つ表示される（同；Ｓ０６）。
【００２７】
一方、両面表示型情報処理装置１に電源が投入された段階、又は両面表示プログラムが起動された段階では（図３；Ｓｔａｒｔ）、モーションセンサ４が起動して、センサ監視部１４がモーションセンサ４から出力された３次元地磁気データ（３方向）を取得する（同；Ｓ１１）。また、回転方向判断部１５は、一定の時間区間について３次元地磁気データを解析し、その時間区間内で３次元地磁気データの最小値と最大値を取得する（同；Ｓ１２）。そして、３方向のうち何れかの３次元地磁気データの値の当該時間区間における最大値と最小値との差（又は差の絶対値）と予め設定された一定の閾値とを比較する（同；Ｓ１３）。そして、この差が閾値以下であれば（同；Ｓ１３  Ｎｏ）、引き続き３次元地磁気データの取得を継続し、差が閾値を超えた場合に（同；Ｓ１３  Ｙｅｓ）、そのデータが示す方向に回転が生じたものと判断して、その方向を表すデータを制御部１２へ出力する（同；Ｓ１４）。
【００２８】
これまでの工程を具体的に説明する。図４上欄（ａ）は本装置１からユーザを見て（以下同じ）前方回転（ディスプレイ３Ａの上端部をユーザ側へ回転）させる動作、同（ｂ）は本装置１を後方回転（ディスプレイ３Ａの下端部をユーザ側へ回転）させる動作、同（ｃ）は本装置１を左回転（ディスプレイ３Ａの左端部をユーザ側へ回転）させる動作、同（ｄ）は本装置１を右回転（ディスプレイ３Ａの右端部をユーザ側へ回転）させる動作をそれぞれ示している。これらの動作は、ディスプレイ３Ａに表示されている地図について同図下欄のように（ａ）上、（ｂ）下、（ｃ）左、（ｄ）右をそれぞれ閲覧しようとする動作に対応している。このように本装置１を取り扱うことで、モーションセンサ４の出力結果は図５のようになる（横軸は時間軸を表す）。すなわち、同図（ａ）では３次元地磁気データのうち水平方向（前後）を示す値（太線）が低い方から高い方へ変位し、（ｂ）ではその値が高い方から低い方へ変位する。また、（ｃ）では３次元地磁気データのうち水平方向（左右）を示す値（破線）が高い方から低い方へ変位し、（ｄ）ではその値が低い方から高い方へ変位する。このようなモーションセンサ４の出力結果の回転方向判断部１５における解析状況を模式的に表すと、図６のようになる。同図は、一例として図５（ａ）に対応するものである。図中、横長の長方形は解析する時間区間を表しており、解析はこの図のように、少しずつ時間をずらしながらその時間区間における３次元地磁気データの変化量を計算しつつ行われる。すなわち、ある時間区間（着色部）において、３次元地磁気データの変化量が閾値を超えた場合、その時間区間に本装置１の回転があり、その時間区間の始点を回転開始時、終点を回転終了時として判断されることになる。そして、このように回転があったと判断されると、その回転方向を表すデータが制御部１２へと出力されるのである。
【００２９】
制御部１２は、以上のようにして回転方向に関するデータの入力があると（図３；Ｓ０７）、描画命令として、表示するディスプレイの切り替え（上述の例ではディスプレイ３Ａからディスプレイ３Ｂへ）を含ませ（同；Ｓ０８）、さらにコンテンツの表示位置を本装置１の回転方向に対応して変更する命令を描画部１３に含ませて（同；Ｓ０９）、その表示位置に対応するコンテンツのデータをコンテンツデータ格納部１１（又はキャッシュメモリ）から取得する（同；Ｓ０５）。そして、その取得したコンテンツのデータに基づき描画命令を第１描画部１３Ａに送って実行させることで、図６（ａ）部に示すように第１ディスプレイ３Ａに上記コンテンツ（地図）の指定された位置に該当する部分が描画され、且つ表示される（同；Ｓ０６）こととなる。
【００３０】
具体的な地図の画面例で説明すれば、図７（０）部のようにディスプレイ３Ａに地図上のある区画を表示させた状態を基準として、地図上の上（北）を閲覧する場合には本装置１を前方回転させると（０）部の上方に連続する（ａ）部がディスプレイ３Ｂに表示され、地図上の下（南）を閲覧する場合には本装置１を後方回転させると（０）部の下方に連続する（ｂ）部がディスプレイ３Ｂに表示され、地図上の左（西）を閲覧する場合には本装置１を左回転させると（０）部の左方に連続する（ｃ）部がディスプレイ３Ｂに表示され、地図上の右（東）を閲覧する場合には本装置１を右回転させると（０）部の右方に連続する（ｄ）部がディスプレイ３Ｂに表示される。ディスプレイ３Ｂがユーザ側を向いている状態から本装置１を回転させれば、上述したような処理が繰り返され、それに続く地図上の位置がディスプレイ３Ａに表示されることとなる。すなわち、図８（ａ）に示すように、第１ディスプレイ３Ａ（図中の番号１）及び第２ディスプレイ３Ｂ（図中の番号２）に表示されるコンテンツが、本装置１の回転動作に対応して順次マッピングされる。
【００３１】
以上のように、本実施形態によれば、例えば上述した地図を画面表示させるべきコンテンツとして利用する場合には、現在閲覧している位置から地図上で上下左右（北南西東）に移動した位置を閲覧したいときには、その閲覧したい方向に本装置１を回転させるという極めて物理的で直感的な操作により、現在のディスプレイとは反対側のディスプレイに次の位置を連続して表示させることが可能となる。
【００３２】
なお、本発明は上述した実施形態に限定されるものではない。例えばコンテンツとしてデジタルブックを採用する場合、現物の書籍のページ捲り動作に対応して表示するページごとにディスプレイ３Ａ，３Ｂを切り替えていくとするならば、モーションセンサに左右方向の姿勢変化のみ検出するものを用いるか、或いは上述した例のモーションセンサを利用するなら本装置１の前後回転に対応するディスプレイの切り替えは機能させずに左右回転に対応するディスプレイの切り替えのみ機能させると、例えば図８（ｂ）に示すように、第１ディスプレイ３Ａ（図中の番号１）及び第２ディスプレイ３Ｂ（図中の番号２）に表示されるコンテンツが、本装置１の回転動作に対応して順次マッピングされることとなる。
【００３３】
その他、各部の具体的構成についても上記実施形態に限られるものではなく、本発明の趣旨を逸脱しない範囲で種々変形が可能である。
【図面の簡単な説明】
【００３４】
【図１】本発明の一実施形態に係る両面表示型情報処理装置の概略的な構成説明図。
【図２】同両面表示型情報処理装置の概略的な機能構成図。
【図３】同両面表示型情報処理装置の動作を表すフローチャート。
【図４】同両面表示型情報処理装置の使用方法説明図。
【図５】同両面表示型情報処理装置における３次元地磁気データの出力・モニタリング例を示す図。
【図６】同両面表示型情報処理装置における回転方向の解析模式図。
【図７】同両面表示型情報処理装置のディスプレイに表示される画面例を示す図。
【図８】同両面表示型情報処理装置の各ディスプレイに対するコンテンツのマッピング状態を表す説明図。
【符号の説明】
【００３５】
１…両面表示型情報処理装置
２…コンピュータ本体
３Ａ…第１ディスプレイ
３Ｂ…第２ディスプレイ
４…モーションセンサ
１１…コンテンツデータ格納部
１２…制御部
１３…描画部
１３Ａ…第１描画部
１３Ｂ…第２描画部
１４…センサ監視部
１５…回転方向判断部
【図１】
2007114584.tif 000003
【図２】
2007114584.tif 000004
【図３】
2007114584.tif 000005
【図４】
2007114584.tif 000006
【図５】
2007114584.tif 000007
【図６】
2007114584.tif 000008
【図７】
2007114584.tif 000009
【図８】
2007114584.tif 000010